(57)【要約】【課題】黒筋の検出と補正に最適な画像読取装置の提供。【解決手段】本発明の画像読取装置は、画像読取手段と、特定濃度データ取得手段と、ピーク濃度位置特定手段と、異物領域特定手段を備える。画像読取手段は、原稿を１主走査ライン毎に読み取り、１主走査ライン毎の画素の濃度データを生成する。特定濃度データ取得手段は、画像読取手段が生成した濃度データの内、所定数のラインの濃度データである特定濃度データを複数取得する。更に、ピーク濃度位置特定手段は、取得した各特定濃度データから、所定の濃度以上の濃度の画素の位置であるピーク濃度位置をそれぞれ特定する。そして、異物領域特定手段が、各特定濃度データに対するピーク濃度位置の主走査方向の差が所定の範囲であり、ピーク濃度位置の近傍の画素の濃度値が所定の濃度基準値以上である画素領域を異物領域として特定することを特徴とする。【選択図】図５
2011014999.tif 000002
【特許請求の範囲】
【請求項１】
副走査方向に搬送される原稿を読み取り可能な画像読取装置において、
原稿を１主走査ライン毎に読み取り、１主走査ライン毎の画素の濃度データを生成する画像読取手段と、
前記画像読取手段が生成した濃度データの内、所定数のラインの濃度データである特定濃度データを複数取得する特定濃度データ取得手段と、
取得した各特定濃度データから、所定の濃度以上の濃度の画素の位置であるピーク濃度位置をそれぞれ特定するピーク濃度位置特定手段と、
各特定濃度データに対する前記ピーク濃度位置の主走査方向の距離の相互の差が所定の範囲であり、当該ピーク濃度位置の近傍の画素の濃度値が所定の濃度基準値以上である画素領域を異物領域として特定する異物領域特定手段とを備えることを特徴とする画像読取装置。
【請求項２】
前記画像読取手段が読み取った画像データを記憶する画像データ記憶手段と、
前記異物領域特定手段により特定された各濃度データに対する異物領域からピーク幅を算出し、算出した各ピーク幅と、所定の幅基準値とを比較することによって、当該ピーク幅が所定の幅基準値以内であるか否かを判定するピーク幅判定手段と、
前記各濃度データのピーク幅が所定の幅基準値以内である場合、前記異物領域特定手段が特定した異物領域を補正領域データとして取得し、当該補正領域データに基づいて、前記画像データ記憶手段に記憶された画像データを補正する画像データ補正手段とを備える、請求項１に記載の画像読取装置。
【請求項３】
前記特定濃度データ取得手段が取得する特定濃度データが、少なくとも原稿の搬送方向前端近傍の濃度データと、原稿の搬送方向後端近傍の濃度データと、原稿間である紙間の位置の濃度データの三種類の特定濃度データであり、
前記異物領域特定手段が、前記三種類の特定濃度データ全てに対して、ピーク濃度位置の近傍の画素の濃度値が濃度基準値以上である場合に、異物領域を特定する、請求項１または２に記載の画像読取装置。
【請求項４】
前記三種類の特定濃度データのピーク幅情報の全てが幅基準値以内である場合、前記画像データ補正手段が、三種類の特定濃度データのうち、いずれか一の特定濃度データの異物領域を補正領域データとして取得する、請求項３に記載の画像読取装置。
【請求項５】
前記三種類の特定濃度データのピーク幅情報の少なくとも一のピーク幅情報が幅基準値を超過する場合、ユーザからの指示に基づいて画像読取手段に照射される光源の位置を変更する回避手段を備える、請求項３に記載の画像読取装置。
【発明の詳細な説明】
【技術分野】
【０００１】
本発明は、画像形成装置における画像読取装置に関し、特に副走査方向に連続的に搬送される複数の原稿を読み取る際に、画像に生じた黒筋を検知し、当該黒筋を除去可能な画像読取装置に関する。
【背景技術】
【０００２】
画像形成装置における画像読取装置は、コンタクトガラスの所定の読取位置から、光源、ミラー、レンズ等により原稿を読み取っている。したがって、当該コンタクトガラス、ミラー、レンズ等に埃や紙粉等の異物が付着すると、画像読取装置が当該異物を含めて読み取るので、画像に黒筋が発生することがある。
【０００３】
出力される印刷用紙等に黒筋が発生することは、ユーザにとって望ましいことではないので、黒筋を発生させない画像読取装置が要請されていた。ここで、画像に発生した黒筋を検知する技術として下記の特許文献が知られている。
【先行技術文献】
【特許文献】
【０００４】
【特許文献１】特開２００８−１９３５５３
【発明の概要】
【発明が解決しようとする課題】
【０００５】
上記従来技術は、画像読取装置が原稿を読み取る方向（主走査方向）に対して、原稿の先端及び、後端付近及び、紙間（原稿と原稿の間）の濃度を検出することで、画像に生じた黒筋を検知する技術である。しかし、この技術は、黒筋を検知すると画像読取装置の読取位置を変更し、再度読み取りを実行するものであり、検知した黒筋を補正する技術については考慮されていない。
【０００６】
ここで、従来技術のように、再度読み込みを実行するよりも、読み込んだ画像を補正することを希望するユーザの要請があった。
【０００７】
一方、黒筋の幅が所定範囲であると、黒筋の部分の画素を当該黒筋周囲の画素で補間する方法が適用できるので、黒筋の存在だけでなく、黒筋の幅が所定範囲であるか否かを検出することで読み込んだ画像を補正することが可能になる。
【課題を解決するための手段】
【０００８】
上記課題を達成するための本発明は、副走査方向に搬送される原稿を読み取り可能な画像読取装置を前提とする。そして、本発明の画像読取装置は、画像読取手段と、特定濃度データ取得手段と、ピーク濃度位置特定手段と、異物領域特定手段を備える。
【０００９】
画像読取手段は、原稿を１主走査ライン毎に読み取り、１主走査ライン毎の画素の濃度データを生成する。特定濃度データ取得手段は、画像読取手段が生成した濃度データの内、所定数のラインの濃度データである特定濃度データを複数取得する。更に、ピーク濃度位置特定手段は、取得した各特定濃度データから、所定の濃度以上の濃度の画素の位置であるピーク濃度位置をそれぞれ特定する。
【００１０】
そして、異物領域特定手段が、各特定濃度データに対するピーク濃度位置の主走査方向の距離の相互の差が所定の範囲であり、ピーク濃度位置の近傍の画素の濃度値が所定の濃度基準値以上である画素領域を異物領域として特定することを特徴とする。
【００１１】
上記の構成であると、ピーク濃度位置の近傍の画素の濃度値が所定の濃度基準値以上である画素領域を異物領域として特定することで、画像に生じた黒筋の領域を容易に特定することができる。
【００１２】
上記の構成において、前記画像読取手段が読み取った画像データを記憶する画像データ記憶手段を備え、ピーク幅判定手段と、画像データ補正手段を備える構成を採用することができる。更に、ピーク幅判定手段は、異物領域特定手段により特定された各濃度データに対する異物領域からピーク幅を算出し、算出した各ピーク幅と、所定の幅基準値とを比較することによって、ピーク幅が所定の幅基準値以内であるか否かを判定し、画像データ補正手段は、各濃度データのピーク幅が所定の幅基準値以内である場合、異物領域特定手段が特定した異物領域を補正領域データとして取得し、当該補正領域データに基づいて、画像データ記憶手段に記憶された画像データを補正することが望ましい。上記の構成であると、画像データが補正可能か否かの判断基準として、黒筋の幅が所定の幅基準値以内か否かを採用することができるので、補正可能な黒筋か否かを容易に判断することができる。
【００１３】
上記の構成において、特定濃度データ取得手段が取得する特定濃度データが、少なくとも原稿の搬送方向前端近傍の濃度データと、原稿の搬送方向後端近傍の濃度データと、原稿間である紙間の位置の濃度データの三種類の特定濃度データであり、異物領域特定手段が、三種類の特定濃度データ全てに対して、ピーク濃度位置の近傍の画素の濃度値が濃度基準値以上である場合に、異物領域を特定することが望ましい。更に、三種類の特定濃度データのピーク幅情報の全てが幅基準値以内である場合、画像データ補正手段が、三種類の特定濃度データのうち、いずれか一の特定濃度データの異物領域を補正領域データとして取得することが望ましい。上記の構成であれば、画像を補正する際に、上記三種類の濃度データを参照することで、コンタクトガラスへの異物の付着など紙間領域に起因して黒筋が生じたと判断できる。
【００１４】
上記の構成において、三種類の特定濃度データのピーク幅情報の少なくとも一のピーク幅情報が幅基準値を超過する場合、ユーザからの指示に基づいて画像読取手段に照射される光源の位置を変更する回避手段を備えることが望ましい。補正できない黒筋に対しては、光源の位置を変更することで、再読み取りが可能となるからである。なお、幅基準値は、三画素以内に設定されることが望ましい。
【発明の効果】
【００１５】
本発明の画像形成装置によると、画像データに生じた黒筋（異物領域）の幅を算出することが可能となる。更に、算出された黒筋の幅によって、当該黒筋が補正可能であるか否かの判断を容易に行うことができる。
【図面の簡単な説明】
【００１６】
【図１】本発明の実施形態に係る画像読取装置を備えた画像形成装置の全体構成を示す図である。
【図２】本発明の実施形態に係る画像読取装置の読取部の構成を示す図である。
【図３】本発明の実施形態に係る画像形成装置の操作部を示す図である。
【図４】本発明の実施形態に係る画像読取装置を備えた画像形成装置の制御系ハードウェアの構成を示す図である。
【図５】本発明の実施形態に係る画像読取装置及び画像形成装置の機能ブロック図である。
【図６】本発明の実施形態に係る画像読取装置の画像データ補正処理のフローチャートである。
【図７】本発明の実施形態に係る画像読取装置の画像データ補正処理のフローチャートである。
【図８】画像データと黒筋の関係を説明する図である。
【図９】画像データと濃度データの関係を示す図である。
【図１０】濃度データグラフの説明図である。
【図１１】画像データの補正処理を説明する図である。
【図１２】操作部に表示される画面を示す図である。
【発明を実施するための形態】
【００１７】
（画像形成装置）
以下に、本発明の画像読取装置を備えた画像形成装置における基本的なコピー機能の処理を説明する。本発明の実施形態に係る画像形成装置は、プリンタ、コピー、スキャナ、ファックス等を備えた複合機、デジタル複写機、プリンタ等が該当し、コピー機能、スキャナ機能、ファクシミリ機能、プリンタ機能等を備えた画像形成装置として機能する。
【００１８】
図１は、複合機１００の概略模式図である。ただし、本発明に直接には関係しない各部の詳細は省略している。なお、一例として複合機１００を利用して原稿のコピーを行う際の画像形成装置の動作を簡単に説明する。
【００１９】
ユーザが複合機１００を利用して例えば原稿の印刷を行う場合、原稿を図１に示す原稿台１０３、或いは載置台１０５に配置し、原稿台１０３近傍に備えられた操作部２００に対して印刷の指示を行う。当該指示があると、以下に示す各部（駆動部）が動作することで、印刷が行われる。
【００２０】
即ち、図１に示すように、本実施の形態の複合機１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２１】
自動原稿給紙装置１０４は、プラテンカバー１０２の内部に形成された原稿搬送路１０
８と、プラテンカバー１０２の内部に備えられたピックアップローラ１０６や搬送ローラ
１０７Ａ、１０７Ｂ等で構成される。原稿搬送路１０８は、載置台１０５から、本体１０
１に設けられた読取部１１０にて読み取りが行なわれる読取位置Ｐを経由して、排紙台１
０９に通じる原稿の搬送路である。
【００２２】
原稿搬送路１０８に備えたセンサＴは、搬送される原稿の画像領域の先端タイミングを決めるものである。センサＴは、原稿の先端を検知すると、原稿の読取タイミングを調整するとともに、後述の特定濃度データ取得手段５２０に検知信号を出力する。
【００２３】
自動原稿給紙装置１０４は、載置台１０５に載置された複数の原稿から１枚ずつ原稿を
ピックアップローラ１０６で搬送路内１０８に引き出し、搬送ローラ１０７Ａ等によって引き出した原稿を、読取位置Ｐを通過させて、搬送ローラ１０７Ｂにより排紙台１０９に排紙する。読取位置Ｐを通過する時に原稿は読取部１１０にて読み取られる。
【００２４】
上記読取部１１０は、原稿台１０３の下方に設けられており、図２にその詳細が示され
ている。読取部１１０は、原稿台１０３を照射する走査方向に長い光源１１１と、原稿台
からの光を選択的に通過させるスリット１１６と、原稿台からの光を導くミラー１１２と
を備える第一の移動キャリッジ１１７や、第一の移動キャリッジ１１７からの反射光を再
度反射するミラー１１３Ａ、１１３Ｂを備える第二の移動キャリッジ１１８、さらにミラーで導かれた光を光学的に補正するレンズ群１１９、当該レンズ群１１９より補正された光を受光する撮像素子１１５、撮像素子にて受光した光を電気信号に変換し、必要に応じて補正・修正などを行う画像データ生成部１１４とで構成されている。
【００２５】
上記第一の移動キャリッジ１１７や、第二の移動キャリッジ１１８を副走査方向に移動させることで、読取位置Ｐを移動させることができる。
【００２６】
自動原稿給紙装置１０４上の原稿を読み取る場合には、光源１１１は、読取位置Ｐを照
射できる位置に移動して発光する。光源１１１からの光は、原稿台１０３を透過して読取
位置Ｐを通過する原稿にて反射し、スリット１１６、ミラー１１２、１１３Ａ、１１３Ｂ、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換される（デジタル化）。さらに、画像データ生成部１１４では、順次変換されたデジタル信号を単位データとし、これら単位データを補正、修正等することで複数の単位データからなる画像データを生成する。
【００２７】
また、読取部１１０は、自動原稿給紙装置１０４で搬送される原稿だけでなく、原稿台
１０３に載置された原稿も読み取ることが可能となっている。原稿台１０３に載置された
原稿を読み取る場合は、第一のキャリッジ１１２は、光源１１１を発光しながら副走査方
向に移動し、光源１１１から撮像素子１１５までの光路長を一定にするために、第二の移
動キャリッジ１１８は第一の移動キャリッジ１１７の１／２の速度で撮像素子１１５方向
に移動する。
【００２８】
撮像素子１１５は、自動原稿給紙装置１０４に搬送された原稿のときと同様に、ミラー
１１２、１１３Ａ、１１３Ｂに導かれた光に基づいて原稿台１０３に載置された原稿から
の光を電気信号に変換し、これに基づいて画像データ生成部１１４が画像データを生成する。
【００２９】
本体１０１の読取部１１０の下方には、画像データを印刷する印刷部１２０を備える。印刷部１２０が印刷できる画像データは、上記のように画像データ生成部１１４にて生成されたものや、その他画像形成装置１００とＬＡＮ等のネットワークに接続されたパソコン等の端末から、ネットワークインターフェイスを介して受信したものである。
【００３０】
印刷部１２０が行う印刷方式には、電子写真方式が用いられている。即ち、感光ドラム１２１を帯電器１２２で一様に帯電させ、その後レーザ１２３で感光ドラム１２１を照射
して感光ドラム１２１に潜像を形成し、現像器１２４で潜像にトナーを付着させて可視像
を形成し、転写ローラにて可視像を用紙に転写する方式である。
【００３１】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。用紙を引き出す場合、手差しトレイ１３１に載置された用紙を、手差しトレイ用ピックアップローラ１３６を用いて引き出しても構わない。
【００３２】
印刷部１２０は、中間転写ベルト１２５Ａと転写ローラ１２５Ｂの間に送り込んだ用紙に、上記中間転写ベルト１２５Ａ上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００３３】
以上が、複合機１００における基本的なコピー機能の処理である。なお、複合機１００は、上述した各部（読取部１１０、印刷部１２０）を適宜協働的に動作することによって、他の機能、例えば、ファクシミリ送受信機能、プリント機能、スキャン機能、後処理機能、メモリ機能等をユーザに提供する。
【００３４】
図３は、複合機１００に備えられた操作部２００の外観の一例を示す図である。ユーザは、上記操作部２００を用いて、上述のような機能提供についての設定条件等を入力する。設定条件の入力、各機能の実行開始、各種設定や、設定変更等が行なわれる際に、上記操作部２００に備えられたタッチパネル３０１、タッチペン３０２、操作キー３０３が用いられる。タッチパネル３０１上に表示された画面（例えば、画像形成画面）内の設定項目等を押下することによって、設定項目等に関連付けられた設定画面が表示され、設定条件の入力が行われる。
【００３５】
タッチパネル３０１には、設定条件を入力する機能と当該設定条件を表示する機能（例えば、表示パネルが備える機能に該当する）が備えられている。すなわち、タッチパネル３０１上に表示された設定画面内の項目またはアイコンを押下することによって、その項目またはアイコンに関連付けられた設定条件が入力される。
【００３６】
タッチパネル３０１の近傍には、タッチペン３０２が備えられており、ユーザがそのタッチペン３０２の先をタッチパネル３０１に接触させると、タッチパネル３０１下方に設けられたセンサが接触先を検知する。そのため、タッチペン３０２の接触により、キーボード画面のキーの押下や所定の手書き情報の入力が可能である。所定の手書き情報は、随時、所定の文字等に変換される。なお、入力された設定条件に連動して項目またはアイコンの背景色が白色から灰色へ変更されるため、背景色の如何によって、入力された設定条件が確認される。
【００３７】
次に、図４を用いて、複合機１００の制御系ハードウェアの構成を説明する。図４は、複合機１００における制御系ハードウェアの概略構成図である。ただし、本発明に直接には関係しない各部の詳細は省略している。
【００３８】
複合機１００の制御回路は、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、ＨＤＤ（Ｈａｒｄ  Ｄｉｓｋ  Ｄｒｉｖｅ）４０４、各駆動部に対応するドライバ４０５を内部バス４０６によって接続している。上記ＣＰＵ４０１は、例えば、ＲＡＭ４０３を作業領域として利用し、上記ＲＯＭ４０２、ＨＤＤ４０４等に記憶されているプログラムを実行し、当該実行結果に基づいて上記ドライバ４０５と操作部２００からのデータ、指示を授受し、上記図１、２に示した各駆動部等の動作を制御する。また、上記駆動部以外の後述する各手段（図５に示す）についても、上記ＣＰＵ４０１がプログラムを実行することで当該各手段を実現する。上記ＲＯＭ４０２、ＨＤＤ４０４等には、後述する各手段を実現するプログラムやデータが記憶されている。
【００３９】
（黒筋補正処理）
次に本発明の画像読取装置１０の黒筋補正の処理について図５から図１２を参照しながら、説明する。図５は、本発明の画像読取装置１０を備えた複合機１００の機能ブロック図であり、図６、７は、本発明の複合機１００の黒筋補正の処理を示すフローチャートである。
【００４０】
まず、ユーザにより自動原稿給紙装置１０４に原稿が配置され、設定条件が入力されると、表示受付手段５００が当該設定条件を受け付ける。
【００４１】
そして、ユーザにより操作部２００のスタートキー３０５が押下されると、画像読取手段５１０がこれを受けて、上記原稿の読み取りを開始する（図６：Ｓ１０１）。すなわち、１枚目の原稿が読取位置Ｐに搬送されると、画像読取手段５１０が、原稿の先端から主走査ライン毎に、順次画像データを読み取る。
【００４２】
上記画像読取手段５１０が読み取ったデータは、濃度データ（各主走査ラインの各画素における濃度値のデータ）として画像データ記憶手段５１５に記憶される。濃度データとして例えば、１主走査ラインの各画素に、白を０、黒を２５５とする２５６階調で表わしたデータをそれぞれ対応させることができる。なお、画像データ記憶手段５１５は、上記濃度データを原稿１枚単位の濃度データ（画像データ）として記憶することは言うまでも無い。その際、紙間領域の濃度データである後述の主走査ラインＣは、画像データ記憶手段には記憶しない構成を採用する。
【００４３】
上記のように、画像読取手段５１０が原稿の読み取りを開始すると、上記画像データ記憶手段５１５に読み取った原稿データを記憶させながら、特定濃度データ取得手段５２０が、図８に示す主走査ラインＡ、主走査ラインＢ、主走査ラインＣの３ラインでの上記濃度データを特定濃度データとして検知する。
【００４４】
ここで、主走査ラインＡは、原稿の副走査方向（原稿の搬送方向）先端から所定ライン後方のラインであり、主走査ラインＢは、原稿の副走査方向後端から所定ライン前方のラインであり、主走査ラインＣは、原稿と原稿の間の紙間領域である。上記紙間領域では、コンタクトガラスを通して、白色シート（プラテンカバー１０２の表面）の濃度データが検知されることになる。
【００４５】
本実施例では、原稿の副走査方向先端から６ｍｍ後方を主走査ラインＡとし、原稿の副走査方向後端から６ｍｍ前方を主走査ラインＢとする。これは、一般的に、原稿の先端及び後端から６ｍｍ程度内であれば、原稿画像が存在しない白紙領域であると考えられ、このラインで読み取られた濃度データは、図８に示す異物８００が原因である可能性が高いと考えられるからである。
【００４６】
上記特定濃度データ取得手段５２０が、上記主走査ラインＡ、Ｂ、Ｃ上の濃度データを検知するタイミングは、公知の方法でよい。例えば、原稿搬送路１０８に備えたセンサＴが、搬送された原稿の先端ラインを検知すると、特定濃度データ取得手段５２０に検知信号を出力する。上記検知信号により、特定濃度データ取得手段５２０は、画像読取手段５１０が原稿の先端ラインを読み取るタイミングを認識し、当該先端ラインから６ｍｍ後方の主走査ラインＡを読み取るタイミングも認識することができる。
【００４７】
更に、特定濃度データ取得手段５２０が、原稿後端ラインを認識するには、原稿の移動距離が分かればよい。例えば、予め原稿の用紙サイズと縦横の長さを図示しない記憶手段に、関連付けて記憶させておく。そして、設定条件から用紙サイズを取得し、更に、記憶手段から用紙サイズに対応する縦横の長さを取得することで、原稿の移動距離が計算できる。特定濃度データ取得手段５２０は、上記原稿の先端ラインに上記原稿の移動距離を加えることで、画像読取手段５１０が原稿後端ラインを読み取るタイミングを認識できる。よって、当該後端ラインに基づいて、特定濃度データ取得手段５２０は、後端ラインから６ｍｍ前方の主走査ラインＢを画像読取手段５１０が読み取るタイミングを認識することができる。
【００４８】
更に、特定濃度データ取得手段５２０が、原稿後端ラインを読み取るタイミングを認識すると、当該原稿後端ラインの次のラインを紙間領域として、主走査ラインＣを読み取るタイミングも認識することができる。
【００４９】
上記のように、特定濃度データ取得手段５２０は、主走査ラインＡ、主走査ラインＢ、主走査ラインＣの３ラインでの特定濃度データを順次検知すると、当該特定濃度データを特定濃度データ記憶手段５１６に順次記憶させる（図６：Ｓ１０２）。
【００５０】
図９に示したグラフは、以下の説明のために、各主走査ラインに対して、上記特定濃度データを示した特定濃度データグラフ９００である。横軸を主走査方向の座標に対応する「画素」９２０とし、縦軸に当該「画素」９２０に対応する「濃度値」９１０をプロットしている。
【００５１】
上記のように、特定濃度データ取得手段５２０が、特定濃度データを特定濃度データ記憶手段５２０に記憶させると、当該特定濃度データを特定濃度データ記憶手段５２０に記憶させた旨をピーク濃度位置特定手段５２５に通知する。
【００５２】
これを受けて、ピーク濃度位置特定手段５２５は、特定濃度データ記憶手段５１６から一の濃度データを取得し（図６：Ｓ１０３）、当該濃度データの濃度値の増減を検出することで、濃度データのピーク濃度位置（所定濃度以上の濃度の画素の位置）を検出する（図６：Ｓ１０４）。なお、ピーク濃度位置は複数でもよく、又は特定濃度データから最も濃度の高い画素の位置としても構わない。
【００５３】
ピーク濃度位置特定手段５２５は、上記３ラインに対応する濃度データのピーク濃度位置を全て検出するまで上記操作を繰り返す（図６：Ｓ１０５ＮＯ）。
【００５４】
本実施例では、ピーク濃度位置特定手段５２５は、図１０に示すような、濃度データグラフ９００のピーク９３０に対応するピーク濃度位置（画素の位置）を検出する。
【００５５】
ここで、ピーク濃度位置特定手段５２５が３ラインに対応するピーク濃度位置を全て検出すると（図６：Ｓ１０５ＹＥＳ）、３ラインに対応する特定濃度データに、検出したピーク濃度位置を関連付けて特定濃度データ記憶手段５１６に記憶させる。そして、ピーク濃度位置特定手段５２５は、濃度データのピーク濃度位置を検出した旨を、異物領域特定手段５３０に通知する。
【００５６】
これを受けて、異物領域特定手段５３０は、特定濃度データ記憶手段５１６から各特定濃度データに対応するピーク濃度位置をそれぞれ取得し、取得したピーク濃度位置の差がそれぞれ所定範囲内であるか否か判断する（図６：Ｓ１０６）。
【００５７】
ここで、各特定濃度データのピーク濃度位置の距離の差が所定範囲内である場合、異物領域特定手段５３０は、ピーク幅を算出することで異物領域を特定する（図６：Ｓ１０６ＹＥＳ→Ａ）。上記所定の範囲は、ユーザにより任意に設定可能な構成を採用することができる。本実施例では上記所定の範囲は３画素内とする。
【００５８】
なお、各特定濃度データのピーク濃度位置が所定範囲内ではない場合、異物領域特定手段５３０は、異物領域は無いと判断し、後述の処理をすることなく通常の画像形成処理がなされる（図６：Ｓ１０６ＮＯ→Ｓ１０７）。
【００５９】
上記のように、各特定濃度データのピーク濃度位置の差が所定範囲内である場合、異物領域特定手段５３０は、特定濃度データ記憶手段５１６から、各ピーク濃度位置に関連付けられた特定濃度データ（例えば主走査ラインＡの特定濃度データ）を取得する（図７：Ａ→Ｓ２０１）。
【００６０】
上記のように、異物領域特定手段５３０が、ピーク濃度位置に関連付けられた濃度データを取得すると、上記ピーク濃度位置の画素に対して、１画素左の画素の濃度値を取得する（図７：Ｓ２０２→Ｓ２０３）。そして、異物領域特定手段５３０は、取得した濃度値と、予め設定した第１基準値とを比較する（図７：Ｓ２０４）。ここで、第１基準値とは、除去すべき黒筋であると判断する際の基準（閾値）となる濃度値であり、２５６階調の内、予め定めた特定の濃度値である。
【００６１】
本実施例では、異物領域特定手段５３０は、ピーク濃度位置から「１画素」９２１左の画素に対応する「濃度値Ａ」９１１を取得し、当該「濃度値Ａ」９１１と第１基準値の濃度値を比較する。
【００６２】
ここで、「濃度値Ａ」９１１が第１基準値の濃度より大きい場合には、異物領域特定手段５３０は、ピーク濃度位置から更に１画素左の画素の濃度値を取得し、取得した濃度値と上記第１基準値の濃度値とを比較する。
【００６３】
異物領域特定手段５３０は、上記第１基準値の濃度値と同じ濃度値または、第１基準値の濃度値より小さい濃度値に対応する画素が取得されるまで上記操作を繰り返す（図７：Ｓ２０４ＮＯ→Ｓ２０５→Ｓ２０３）。そして、異物領域特定手段５３０は、第１基準値の濃度値と同じ濃度値または、第１基準値の濃度値より小さい濃度値に対応する画素を取得すると、当該画素の位置（左端画素位置）をピーク濃度位置に基づいて算出する（図７：Ｓ２０４ＹＥＳ→Ｓ２０６）。
【００６４】
本実施例では、異物領域特定手段５３０は、「第１基準値」９５０と同じ濃度値に対応する画素の位置である「左端画素位置」９５１を算出する。
【００６５】
上記のように、異物領域特定手段５３０が左端画素位置を算出すると、ピーク濃度位置に対して、１画素右の画素の濃度値を取得する（図７：Ｓ２０７）。そして、異物領域特定手段５３０は、取得した濃度値と、上記第１基準値とを比較する。異物領域特定手段５３０は左画素位置を取得した操作と同様の操作を繰り返すことで（図７：Ｓ２０８ＮＯ→Ｓ２０９）、上記第１基準値の濃度値と同じ濃度値または、第１基準値の濃度値より小さい濃度値に対応する画素の位置（右端画素位置）を算出する（図７：Ｓ２０８ＹＥＳ→Ｓ２１０）。上記のようにして、異物領域特定手段５３０は、３ライン全ての特定濃度データについて、両端画素位置（左端画素位置及び右端画素位置）を算出する（図７：Ｓ２１１ＹＥＳ）。
【００６６】
上記のように、異物領域特定手段５３０が、各ラインの特定濃度データの両端画素位置を算出すると、左端画素位置から右端画素位置迄を異物領域として特定し（図７：Ｓ２１２）、当該異物領域を対応する各ラインの特定濃度データに関連付けて、特定濃度データ記憶手段５１６に記憶させる。なお、本実施例では、異物領域特定手段５３０は、異物領域を特定する際に、左端画素位置から算出したが、右端画素位置から算出する構成を採用しても構わない。
【００６７】
異物領域特定手段５３０が、各ラインについての異物領域を特定すると、上記異物領域をピーク幅判定手段５４０に通知する。これを受けてピーク幅判定手段５４０は、特定濃度データ記憶手段５１６から異物領域の左端画素位置及び右端画素位置を取得してピーク幅を算出する（図７：Ｓ２１３）。
【００６８】
そして、ピーク幅判定手段５４０は、上記ピーク幅と、予め設定した第２基準値とのサイズを比較する（図７：Ｓ２１４）。ここで、第２基準値とは、画像読取装置１０で補正可能な黒筋の幅である。
【００６９】
ここで、各ラインの濃度データのピーク幅全てが、上記第２基準値幅より小さい場合（図７：Ｓ２１４ＹＥＳ）、ピーク幅判定手段５４０は、画像データの補正が可能であると判断し、画像データを補正する旨を画像データ補正手段５４５に通知する。
【００７０】
これを受けて、画像データ補正手段５４５は、特定濃度データ記憶手段５２０からいずれか一の特定濃度データの異物領域（左端画素位置及び右端画素位置）を補正領域データとして取得し（図７：Ｓ２１５）、当該補正領域データに基づいて、画像データ記憶手段５１５に記憶された画像データ（原稿１枚単位の濃度データ）に対して補正することになる（図７：Ｓ２１６）。なお、画像データを補正する前に当該画像データを補正するか否かの指示を促す画面を表示し、補正するか否かをユーザに問い合わせる構成を採用しても構わない。
【００７１】
ここで、画像データの補正方法は各種知られているが、画像データ補正手段５４５は、例えば以下のようにして画像データを補正する。
【００７２】
画像データ補正手段５４５は、画像データ記憶手段５１５に記憶された画像データから、１ライン分の画素を取得する。そして、画像データ補正手段５４５は、上記１ライン分の画素の内、上記補正領域データの左端画素位置から１画素左の画素の濃度値を取得する。更に、画像データ補正手段５４５は、上記１ライン分の画素の内、上記右端画素位置から１画素右の画素の濃度値を取得する。
【００７３】
次に、画像データ補正手段５４５は、取得した左端画素位置から１画素左の画素の濃度値及び、右端画素位置から１画素右の画素の濃度値を平均することで、補正濃度値を計算する。
【００７４】
そして、画像データ補正手段５４５は、上記画像データの１ライン分の画素の内、左端画素位置から右端画素位置までの濃度値を上記補正濃度値に入れ替えることで、１ライン分の画像データを補正する。画像データ補正手段５４５は、各主走査ラインについて上記操作を繰り返すことで、元の画像データを補正することになる。
【００７５】
図１１には、画像データ８１０と、当該画像データの異物領域近傍の画素（丸印で表わす）を示している。なお、図１１（Ａ）が補正前、図１１（Ｂ）が補正後を示している。
【００７６】
図１１に示すように、左端画素位置９５１から右端画素位置９５２までの濃度値が、画像データ補正手段５４５が計算した補正濃度値に置き換えられることで、図１１（Ａ）に示す補正前の画像データ８１０に現れている黒筋８２０が図１１（Ｂ）では、消滅することを示している。
【００７７】
一方、ピーク幅判定手段５４０は、特定濃度データ記憶手段５１６から取得した異物領域のピーク幅と、第２基準値幅とのサイズを比較した結果、少なくとも１つのピーク幅が上記第２基準値幅より大きい場合、画像データの補正は不可能であると判断する（図７：Ｓ２１４ＮＯ）。この場合、ピーク幅判定手段５４０は、補正できない旨を回避手段５５０に通知する。
【００７８】
更に、ピーク幅判定手段５４０は、画像形成手段５９０が画像の出力動作を実行している場合には、画像出力動作を中止する旨、画像形成手段５９０に通知し、これを受けて画像形成手段５９０は、画像出力動作を中止する構成を採用することができる。
【００７９】
上記のように、ピーク幅判定手段５４０から補正できない旨を通知されると、回避手段５５０は、画像読取手段５１０が画像読取動作を実行している場合は、画像読取動作を中止する旨、画像読取手段５１０に命じる。これを受けて、画像読取手段５１０は、画像読取動作を中止する（図７：Ｓ２１７ＹＥＳ→Ｓ２１８）。
【００８０】
更に、回避手段５５０は、黒筋の原因である異物の読み取りを回避する方法をユーザに選択させる旨を表示受付手段５００に通知する（図７：Ｓ２１９）。
【００８１】
これを受けて、表示受付手段５００は、例えば、図１２に示すような、異物確認画像１２００を初期画面１２４０上にポップアップ表示させる。上記異物確認画像１２００には、読取位置に異物が付着している旨と、当該異物の読み取りを回避する方法として、読取位置を変更して読み取るか、異物を除去して読み取るかのどちらかを選択させる旨の表示がされている。
【００８２】
上記異物確認画像１２００の表示に対して、読み取り位置を変更して読み取らせたいユーザは、「読取位置変更」の項目１２１０を押下する。これを受けて、回避手段５５０は、読取位置を変更して再度原稿を読み取る旨を画像読取手段５１０に命じ、当該画像読取手段５１０は、読取位置を副走査方向に所定距離移動して再度読み取ることになる（図７：Ｓ２１９）。
【００８３】
一方、上記異物確認画像１２００の表示に対して、異物を除去して再度読み取りをさせたいユーザは、異物を除去した後、「再読取」の項目１２２０を押下すると、画像読取手段５１０がこれを受け付け、再度読み取りを開始する。
【００８４】
なお、黒筋を消去するか、読取位置を変更するかのいずれか一を設定可能にしておき、ピーク幅判定手段５４０が、画像データに黒筋が生じたと判断すると、画像データ補正手段５４５が画像データを補正する処理又は、回避手段５５０が、異物の読み取りを回避する処理のいずれか一の処理（ユーザが設定した処理）を自動的に行う構成を採用することもできる。
【００８５】
更に、ピーク幅判定手段５４０が、画像データに黒筋が生じたと判断すると、補正が可能であれば、画像データ補正手段５４５が画像データを補正し、又は、補正が不可能であれば、回避手段５５０が、異物の読み取りを回避する処理を自動的に行う構成を採用することもできる。
【００８６】
（その他）
実施の形態では、画像データ補正手段５４５は、いずれか一つの特定濃度データの異物領域での両端画素位置（左端画素位置及び右端画素位置）の一画素左又は、一画素右の画素を利用して、画像データを補正する構成を採用した。これに対して、ピーク幅判定手段が、全ての特定濃度データの異物領域から最も左端に位置する左端画素位置及び、全ての特定濃度データの異物領域から最も右端に位置する右端画素位置を選択し、選択した左端画素位置及び、右端画素位置から最大ピーク幅を算出する。そして算出した最大ピーク幅と、所定の幅基準値とを比較することによって、当該最大ピーク幅が所定の幅基準値以内である場合に、画像データ補正手段５４５が、全ての特定濃度データの異物領域から最も左端に位置する左端画素位置及び、全ての特定濃度データの異物領域から最も右端に位置する右端画素位置に基づいて画像データを補正する構成を採用しても構わない。
【産業上の利用可能性】
【００８７】
本発明を使用すると、画像データに生じた黒筋の幅を算出することによって、当該黒筋が補正可能であるか否かの判断が容易になされる。したがって、本発明に係る画像読取装置又は、上記画像読取装置を備えた画像形成装置は、複写機、プリンタ、スキャナ、複合機等に有用であり、その産業上の利用可能性は大きい。
【符号の説明】
【００８８】
１０  画像読取装置
１００  複合機
２００  操作部
５００  表示受付手段
５１０  画像読取手段
５１５  画像データ記憶手段
５１６  特定濃度データ記憶手段
５２０  特定濃度データ取得手段
５２５  ピーク濃度位置特定手段
５３０  異物領域特定手段
５４０  ピーク幅判定手段
５４５  画像データ補正手段
５５０  回避手段
【図１】
2011014999.tif 000003
【図２】
2011014999.tif 000004
【図３】
2011014999.tif 000005
【図４】
2011014999.tif 000006
【図５】
2011014999.tif 000007
【図６】
2011014999.tif 000008
【図７】
2011014999.tif 000009
【図８】
2011014999.tif 000010
【図９】
2011014999.tif 000011
【図１０】
2011014999.tif 000012
【図１１】
2011014999.tif 000013
【図１２】
2011014999.tif 000014